(57)【要約】  本開示の一態様である太陽光発電装置１０は、屋根１００に固定され、太陽電池モジュール１１Ａの棟側端部に設置されたフレーム１３Ａと太陽電池モジュール１１Ｂの軒側端部に設置されたフレーム１３Ｂとが載せられるマウント金具３０と、フレーム１３Ａとフレーム１３Ｂとに跨って隙間Ｓに配置され、マウント金具３０に固定されて当該各フレームを上から押え付ける固定金具５０とを備える。
2018061645.tif 000002
【特許請求の範囲】
【請求項１】
第１太陽電池パネルと、当該パネルの端部に設置された第１フレームと、を有する第１太陽電池モジュールと、
第２太陽電池パネルと、当該パネルの端部に設置された第２フレームと、を有し、前記第１太陽電池モジュールとの間に隙間をあけて当該モジュールの棟側に隣り合って配置される第２太陽電池モジュールと、
屋根に固定され、前記第１太陽電池モジュールの棟側端部に設置された前記第１フレームと前記第２太陽電池モジュールの軒側端部に設置された前記第２フレームとが載せられるマウント金具と、
前記第１フレームと前記第２フレームとに跨って前記隙間に配置され、前記マウント金具に固定されて当該各フレームを上から押え付ける固定金具と、
を備える、太陽光発電装置。
【請求項２】
前記固定金具を固定するためのボルトが締結されるベース金具を備え、
前記マウント金具は、前記ベース金具を前記屋根の軒棟方向にスライド可能に支持するガイドレール部を有し、
前記固定金具は、前記ガイドレール部に挿入された前記ベース金具を介して前記マウント金具に固定されている、請求項１に記載の太陽光発電装置。
【請求項３】
前記第１フレームは、前記第１太陽電池モジュールの内側に張り出した第１内鍔部を有し、
前記ベース金具は、前記マウント金具の上端よりも上方に突出して前記第１内鍔部に係合する係合部を有する、請求項２に記載の太陽光発電装置。
【請求項４】
前記第２フレームは、前記第２太陽電池モジュールの内側に張り出した第２内鍔部を有し、
前記ベース金具は、前記マウント金具の上端よりも上方に突出して前記第２内鍔部の先端と対向配置される棟側立壁部を有する、請求項２又は３に記載の太陽光発電装置。
【請求項５】
前記ベース金具は、前記マウント金具の上端よりも上方に突出して前記第１太陽電池モジュールと前記第２太陽電池モジュールとの前記隙間に配置される立壁部を有し、
前記固定金具には、前記立壁部が挿入されるスリットが形成されている、請求項２〜４のいずれか１項に記載の太陽光発電装置。
【請求項６】
前記ボルトを前記ベース金具の締結部にガイドするガイド部材を備え、
前記ガイド部材は、前記ベース金具上に配置されて前記マウント金具の前記ガイドレール部に挿入されている、請求項２〜５のいずれか１項に記載の太陽光発電装置。
【請求項７】
前記マウント金具は、前記固定金具を固定するためのボルトの軸部が上を向いて立設するように、前記ボルトの頭部を前記軒棟方向にスライド可能に支持するボルトガイドレール部を有し、
前記固定金具は、前記マウント金具上に立設した前記ボルトの軸部を通す貫通孔を有し、前記貫通孔から上方に突出した当該軸部にレンチ穴付きナットを螺合することで前記マウント金具に固定されている、請求項１に記載の太陽光発電装置。
【請求項８】
前記第１フレームと前記第２フレームとに跨って前記隙間上に配置され、前記固定金具上に取り付けられるカバーを備える、請求項１〜７のいずれか１項に記載の太陽光発電装置。
【請求項９】
前記第１フレームは、前記第１太陽電池モジュールの外側に開口した第１外溝を有し、
前記第１外溝に挿し込まれて前記第１フレームに固定されると共に、前記カバーがネジ止めされる支持金具を備える、請求項８に記載の太陽光発電装置。
【発明の詳細な説明】
【技術分野】
【０００１】
本開示は、太陽光発電装置に関する。
【背景技術】
【０００２】
太陽光発電装置は、屋根に複数の太陽電池モジュールを取り付けて構築されている。例えば、特許文献１には、軒側の太陽電池モジュールに係合する軒側係合フックと、棟側の太陽電池モジュールに係合する棟側係合フックとを含む固定具を備えた太陽光発電装置が開示されている。かかる固定具は、ネジを用いて屋根に固定されている。
【先行技術文献】
【特許文献】
【０００３】
【特許文献１】特開２０１５−２１４８７７号公報
【発明の概要】
【発明が解決しようとする課題】
【０００４】
ところで、太陽光発電装置において、良好な施工性、メンテナンス性を確保しながら、太陽電池モジュールを屋根に強固に固定できることは重要である。メンテナンス性に関して言えば、太陽光発電装置を構成する複数の太陽電池モジュールのうち一部のモジュールだけを容易に取り外して交換できることが求められている。
【課題を解決するための手段】
【０００５】
本開示の一態様である太陽光発電装置は、第１太陽電池パネルと、当該パネルの端部に設置された第１フレームとを有する第１太陽電池モジュールと、第２太陽電池パネルと、当該パネルの端部に設置された第２フレームとを有し、前記第１太陽電池モジュールとの間に隙間をあけて当該モジュールの棟側に隣り合って配置される第２太陽電池モジュールと、屋根に固定され、前記第１太陽電池モジュールの棟側端部に設置された前記第１フレームと前記第２太陽電池モジュールの軒側端部に設置された前記第２フレームとが載せられるマウント金具と、前記第１フレームと前記第２フレームとに跨って前記隙間に配置され、前記マウント金具に固定されて当該各フレームを上から押え付ける固定金具とを備える。
【発明の効果】
【０００６】
本開示の一態様によれば、良好な施工性、メンテナンス性を有すると共に、太陽電池モジュールを屋根に強固に固定可能な太陽光発電装置を提供できる。
【図面の簡単な説明】
【０００７】
【図１】実施形態の一例である太陽光発電装置の分解斜視図である。
【図２】実施形態の一例であるマウント金具の平面図である。
【図３】図２中のＡＡ線断面図である。
【図４】実施形態の一例であるベース金具の斜視図である。
【図５】ベース金具をマウント金具に取り付けた状態を示す横方向断面図である。
【図６】実施形態の一例である固定金具の斜視図である。
【図７】実施形態の一例である太陽光発電装置の取り付け構造を示す縦方向断面図である。
【図８】実施形態の他の一例であるマウント金具の平面図である。
【図９】図８中のＢＢ線断面図である。
【図１０】実施形態の他の一例である固定金具の斜視図である。
【図１１】実施形態の他の一例である太陽光発電装置の取り付け構造を示す縦方向断面図である。
【図１２】実施形態の他の一例である固定金具の斜視図である。
【図１３】実施形態の他の一例であるガイド部材の斜視図である。
【図１４】実施形態の他の一例である太陽光発電装置の取り付け構造を示す縦方向断面図である。
【図１５】実施形態の他の一例である太陽光発電装置の取り付け構造を示す縦方向断面図である。
【発明を実施するための形態】
【０００８】
本開示の一態様である太陽光発電装置は、２枚の太陽電池モジュールを支持するマウント金具と、当該各モジュールの隙間に配置され、マウント金具に固定されて当該各モジュールを上から押え付ける固定金具とを備える。かかる構成によれば、２枚の太陽電池モジュールをマウント金具上に載せ、当該各モジュールに跨って固定金具を取り付けるという簡単な方法によって、太陽光発電装置を施工できる。また、固定金具を取り外すことにより、例えば太陽光発電装置を構成する複数の太陽電池モジュールのうち１つのモジュールだけを容易に取り外して交換できる。各太陽電池モジュールは屋根にネジ止めされたマウント金具上に強固に固定され、優れた耐荷重性を有する太陽光発電装置が構築される。
【０００９】
以下、図面を参照しながら、実施形態の一例について詳細に説明する。実施形態において参照する図面は、模式的に記載されたものであるから、図面に描画された構成要素の寸法などは、以下の説明を参酌して判断されるべきである。本明細書において、「略〜」との記載は、略同じを例に説明すると、完全に同じであることはもとより、実質的に同じであると認められる場合を含む意図である。以下で説明する実施形態は例示であって、本開示の太陽光発電装置はこれに限定されない。
【００１０】
以下では、屋根の軒棟方向に沿うマウント金具等の方向を「縦方向」とし、屋根の桁方向（軒棟方向に垂直な方向）に沿うマウント金具等の方向を「横方向（左右）」とする。マウント金具が載置される屋根面（マウント金具が屋根材上に載置される場合は、屋根材の表面）に垂直な方向に沿うマウント金具等の方向を「上下方向」とする。図面には、屋根の軒棟方向・縦方向を矢印α、桁方向・横方向を矢印β、上下方向を矢印γで示す。特に断らない限り、マウント金具等の上端とは、当該上下方向における上端を意味する。
【００１１】
図１は、実施形態の一例である太陽光発電装置１０の分解斜視図である。図１に例示するように、太陽光発電装置１０は、太陽電池モジュール１１Ａ（第１太陽電池モジュール）と、太陽電池モジュール１１Ｂ（第２太陽電池モジュール）と、マウント金具３０と、固定金具５０とを備える。太陽電池モジュール１１Ａは、太陽電池パネル１２Ａ（第１太陽電池パネル）と、当該パネルの端部に設置されたフレーム１３Ａ（第１フレーム）とを有する。太陽電池モジュール１１Ｂは、太陽電池パネル１２Ｂ（第２太陽電池パネル）と、当該パネルの端部に設置されたフレーム１３Ｂ（第２フレーム）とを有する。太陽電池モジュール１１Ｂは、太陽電池モジュール１１Ａとの間に隙間Ｓ（後述の図７参照）をあけて太陽電池モジュール１１Ａの棟側に隣り合って配置されている。
【００１２】
太陽光発電装置１０は、屋根１００に複数の太陽電池モジュール１１（１１Ａ，１１Ｂ）を取り付けて構築されている。本明細書では、説明の便宜上、軒棟方向に隣り合って配置される２枚の太陽電池モジュール１１について、軒側に配置されるモジュールを太陽電池モジュール１１Ａ、棟側に配置されるモジュールを太陽電池モジュール１１Ｂとする。本実施形態では、全ての太陽電池モジュール１１が同じ形状を有するものとする。
【００１３】
詳しくは後述するが、マウント金具３０は、屋根１００に固定され、太陽電池モジュール１１Ａの棟側端部に設置されたフレーム１３Ａと太陽電池モジュール１１Ｂの軒側端部に設置されたフレーム１３Ｂとが載せられる金具である。固定金具５０は、フレーム１３Ａとフレーム１３Ｂとに跨って隙間Ｓに配置され、マウント金具３０に固定されて当該各フレーム１３Ａ，１３Ｂを上から押え付ける金具である。
【００１４】
本実施形態では、マウント金具３０上にアース金具１５が設けられ、フレーム１３Ａ，１３Ｂはアース金具１５を介してマウント金具３０上に設置されている。太陽光発電装置１０は、固定金具５０を固定するためのボルト１６が締結されるベース金具４０を備え、マウント金具３０は、ベース金具４０を軒棟方向にスライド可能に支持するガイドレール部３４を有することが好ましい。そして、固定金具５０は、ガイドレール部３４に挿入されたベース金具４０を介してマウント金具３０に固定されている。
【００１５】
太陽光発電装置１０は、屋根材１０１が敷設された屋根１００に取り付けられている。屋根材１０１は、例えばスレート瓦である。屋根材１０１は、棟側の屋根材１０１を軒側の屋根材１０１の一部に重ねながら軒棟方向に配置されるため、屋根材１０１が重なり合った部分には段差が形成される。なお、太陽光発電装置１０が取り付けられる屋根は屋根１００に限定されない。
【００１６】
太陽光発電装置１０は、屋根材１０１上に配置された複数のマウント金具３０上に太陽電池モジュール１１を固定することで構築されている。マウント金具３０は、例えば、屋根材１０１及びスペーサ１０５上に載置されて屋根１００の野地板１０２（後述の図７参照）にネジ止めされる。スペーサ１０５は、屋根材１０１間に形成された段差部分に設けられ、当該段差を埋めてマウント金具３０の安定した取り付けを可能とする。マウント金具３０を屋根材１０１及びスペーサ１０５上に直接配置することで、屋根面（屋根材１０１の表面）からの太陽電池モジュール１１の高さを低くすることができ、屋根１００と太陽光発電装置１０の一体感が向上する。
【００１７】
太陽電池モジュール１１は、上述のように、太陽電池パネル１２と、フレーム１３とを有する。太陽電池パネル１２は、例えば、複数の太陽電池セルが２枚の保護部材で挟持された略平坦なパネルである。フレーム１３は、例えば、アルミニウムを主成分とする金属材料を押出成形して形成され、太陽電池パネル１２の四方を囲んで設置される。フレーム１３の表面には、一般的に塗膜が形成されている。
【００１８】
太陽電池モジュール１１は、ベース金具４０、固定金具５０、及びボルト１６を用い、フレーム１３を利用してマウント金具３０に固定される。図１に示す例では、平面視略矩形形状を有する太陽電池モジュール１１の短辺方向が軒棟方向と略平行となるように、複数の太陽電池モジュール１１が配置されている。桁方向に隣り合う太陽電池モジュール１１同士は略接触した状態で配置され、軒棟方向に隣り合う太陽電池モジュール１１同士（太陽電池モジュール１１Ａ，１１Ｂ）は隙間Ｓをあけて配置されている。
【００１９】
太陽電池モジュール１１は、軒側端部の２箇所と棟側端部の２箇所の合計４箇所でマウント金具３０に固定されることが好ましい。１枚の太陽電池モジュール１１の裏側には、例えば当該モジュールの軒側端部の左右に対応する位置と、棟側端部の左右に対応する位置とにマウント金具３０が配置される。太陽電池モジュール１１Ａ，１１Ｂの境界部に配置されるマウント金具３０には、当該２枚の太陽電池モジュールのフレーム１３Ａ，１３Ｂが載せられる。
【００２０】
太陽光発電装置１０の軒側端部及び棟側端部は、マウント金具３０、ベース金具４０、及び固定金具５０を用いて屋根１００に固定されてもよく、専用の金具を用いて固定されてもよい。
【００２１】
図１に示す例では、複数のマウント金具３０が軒棟方向及び桁方向に並んで配置されている。軒棟方向に並ぶ各マウント金具３０は、各太陽電池モジュール１１の軒棟方向に沿った長さに合わせて、軒棟方向に一定の間隔をあけて配置される。各マウント金具３０は、ガイドレール部３４が軒棟方向に沿うように屋根１００に固定される。フレーム１３Ａ，１３Ｂは、ガイドレール部３４と略直交するようにマウント金具３０上に載せられる。
【００２２】
図２はマウント金具３０の平面図、図３は図２中のＡＡ線断面図である。図２及び図３に例示するように、マウント金具３０は、ベース金具４０が載せられる基部３１と、基部３１の下部から左右にそれぞれ張り出したフランジ部３２とを有する。マウント金具３０は、屋根面に沿って配置される板状の固定部であって、当該金具を屋根１００に固定するためのネジを通す貫通孔が形成された固定部を有する。貫通孔は、固定部の端から１０ｍｍ以上離れた位置に形成されていることが好ましい。本実施形態では、固定部としてフランジ部３２が設けられている。
【００２３】
マウント金具３０は、軒棟方向に沿う縦方向に長い形状を有する。マウント金具３０の棟側縁部３０ｂは、屋根１００の軒棟方向及び桁方向に対して傾斜していることが好ましい。ガイドレール部３４は軒棟方向に沿って真っ直ぐに延びることが好ましいため、棟側縁部３０ｂの切断面を縦方向及び横方向に対して斜めに形成することで、棟側縁部３０ｂを傾斜させることが好適である。この場合、施工性を損なうことなく、雨水等の排水性を向上させることができる。つまり、雨水等はマウント金具３０によって堰き止められず、傾斜した棟側縁部３０ｂに沿って流れる。
【００２４】
マウント金具３０の軒側縁部３０ａは、屋根１００の軒棟方向及び桁方向に対して棟側縁部３０ｂと略同じ角度で傾斜していることが好ましい。即ち、軒側縁部３０ａは棟側縁部３０ｂと略平行に形成されていることが好ましい。軒側縁部３０ａの傾斜は排水性に影響を与えないが、一般的に、マウント金具３０は長尺状の部材を切断して製造されるため、各端部を同じ方向に同じ角度で切断することで材料の無駄を無くすことができる。なお、軒棟方向の墨出しに利用されるＶ溝、刻印等の目印をマウント金具３０に形成してもよい。当該目印は、例えば軒側縁部３０ａの近傍における上壁部３１ａの上面中央に形成される。
【００２５】
マウント金具３０の棟側縁部３０ｂは、屋根１００の桁方向に対して約３°〜１５°の角度θで傾斜していることが好ましい。角度θが当該範囲内であれば、良好な施工性と排水性を両立し易くなる。軒側縁部３０ａについても、桁方向に対して約３°〜１５°の角度θで傾斜していることが好ましい。マウント金具３０は、例えば、対角の大きさが略等しい平面視略平行四辺形状を有する。
【００２６】
基部３１は、ベース金具４０が載せられる上壁部３１ａと、上壁部３１ａの横方向両端部から下方に延び、上壁部３１ａとフランジ部３２をつなぐ側壁部３１ｂとを有する。基部３１は、例えば、上壁部３１ａに対して各側壁部３１ｂが略垂直に形成されている。上壁部３１ａの横方向中央部には、縦方向全長にわたって下方に窪んだ凹部３１ｃが形成されている。凹部３１ｃを設けることで、ベース金具４０に固定されるボルト１６の軸部の先端が上壁部３１ａと干渉することを防止できる。
【００２７】
基部３１上には、鉤部３３が形成されている。マウント金具３０には、上壁部３１ａの横方向両端部に一対の鉤部３３がそれぞれ立設している。鉤部３３は、上壁部３１ａの横方向両端部から上方に真っ直ぐ延び、途中で内側に折れ曲がって断面略Ｌ字状に形成されている。上壁部３１ａと鉤部３３とによって、ベース金具４０を縦方向にスライド可能に支持するガイドレール部３４が形成される。
【００２８】
基部３１の上壁部３１ａは、凹部３１ｃ以外の部分において屋根面に接触するフランジ部３２よりも高い位置に形成されている。このため、上壁部３１ａの下には屋根面との間に空間が設けられる。マウント金具３０は、軒棟方向に沿った縦方向の全長にわたって、屋根面との間に空間を設けて形成された排水溝３７を有することが好ましい。マウント金具３０には、凹部３１ｃの左右に排水溝３７が形成されている。排水溝３７を設けることにより、太陽光発電装置１０の設置箇所における屋根１００の排水性がさらに向上する。
【００２９】
フランジ部３２は、基部３１の下部から外側に張り出し、マウント金具３０の縦方向の全長にわたって形成されている。フランジ部３２は、基部３１の内側、即ち上壁部３１ａの下にも延出していることが好ましい。基部３１の内側に延出する部分の横方向長さは、鉤部３３の横方向長さよりも短くてよい。基部３１の各側壁部３１ｂは、例えば、フランジ部３２に対して略垂直に形成されている。各フランジ部３２には、ネジ１０７（後述の図７参照）を通す貫通孔３５が軒棟方向に並んで複数形成されている。
【００３０】
貫通孔３５は、上述のように、フランジ部３２の端から１０ｍｍ以上離れた位置に形成されることが好ましい。貫通孔３５をフランジ部３２の端から離して形成することにより、ネジ１０７が取り付けられる部分に雨水等が浸入し難くなる。貫通孔３５は、例えば、フランジ部３２の縦方向に沿った外側の端である外端３２ａ、及びフランジ部３２の縦方向両端（軒側縁部３０ａ及び棟側縁部３０ｂ）から１０ｍｍ以上離れた位置に形成される。また、貫通孔３５は、フランジ部３２の縦方向に沿った内側の端であって排水溝３７と接する内端３２ｂからも１０ｍｍ以上離れた位置に形成されることが好ましい。貫通孔３５は、例えば外端３２ａ及び内端３２ｂから略等距離の位置に形成される。
【００３１】
マウント金具３０には、各太陽電池モジュール１１から引き出される配線を固定するための結束バンド（図示せず）を通す結束バンド用孔３６が形成されていてもよい。図２に示す例では、上壁部３１ａの縦方向両端部に２つずつ合計４つの結束バンド用孔３６が形成されている。例えば、屋根１００の桁方向に延びる配線は、結束バンド用孔３６に通された結束バンドを用いて、マウント金具３０の軒側端部又は棟側端部に固定される。
【００３２】
マウント金具３０には、施工時に使用される位置合わせマーク３８が設けられていてもよい。図２に示す例では、各フランジ部３２の上面において外端３２ａから横方向に延びる線状の位置合わせマーク３８が形成されている。左右のフランジ部３２に形成された各位置合わせマーク３８は、横方向に並んで同一直線上に形成されている。マウント金具３０は、例えば、位置合わせマーク３８が屋根材１０１の軒側縁部と一致するように、屋根１００上に配置される。
【００３３】
図４はベース金具４０の斜視図、図５はベース金具４０をマウント金具３０に取り付けた状態を示す横方向断面図である。図４及び図５に例示するように、ベース金具４０は、固定金具５０を固定するボルト１６が締結される基部４１と、マウント金具３０のガイドレール部３４に挿し込まれる延出部４２とを有する。基部４１は、マウント金具３０の各鉤部３３の間に配置可能な幅を有し、軒棟方向に沿う縦方向に長く形成されている。
【００３４】
延出部４２は、基部４１の左右から張り出している。延出部４２がガイドレール部３４に挿し込まれることで、ベース金具４０がマウント金具３０に係合してベース金具４０が上方に抜けなくなる。延出部４２は、根元で上方に小さく折れ曲がり、その上面は基部４１の上面よりも少し上に位置する。延出部４２の上面は略平坦であり、例えば、基部４１にボルト１６が締結されることでガイドレール部３４を形成する鉤部３３の下面に当接し、マウント金具３０に対してベース金具４０が強固に固定される。他方、ボルト１６が締結されるまでは、ガイドレール部３４に沿ってベース金具４０をスライドさせることができる。
【００３５】
ベース金具４０は、係合部４３と、棟側立壁部４４とを有していてもよい。後述の図７に例示するように、フレーム１３Ａ，１３Ｂは、太陽電池モジュール１１Ａ，１１Ｂの裏側において、太陽電池モジュール１１Ａ，１１Ｂの内側に張り出した内鍔部２５Ａ，２５Ｂをそれぞれ有する。係合部４３は、マウント金具３０の上端よりも上方に突出してフレーム１３Ａの内鍔部２５Ａ（第１内鍔部）に係合する。棟側立壁部４４は、マウント金具３０の上端よりも上方に突出してフレーム１３Ｂの内鍔部２５Ｂ（第２内鍔部）の先端と対向配置される。
【００３６】
係合部４３は、基部４１の軒側端部（縦方向一端部）において、基部４１との間に内鍔部２５Ａを挿入可能な隙間をあけて断面略Ｌ字状に形成される。棟側立壁部４４は、フレーム１３Ｂの設置に支障がない高さで、内鍔部２５Ｂの先端と対面する位置に形成される。棟側立壁部４４は、例えば、基部４１の棟側端部（縦方向他端部）と縦方向中央部との間で基部４１を構成する金属板の一部を上方に折り曲げて形成されるため、当該折り曲げを可能とすべく、棟側立壁部４４の軒側には開口部４８が形成されている。
【００３７】
ベース金具４０には、ボルト１６が螺合されるボルト締結部４６、及び仮止めボルト１７（後述の図７参照）が螺合される仮止めボルト締結部４７が形成されることが好ましい。ボルト締結部４６は、基部４１の係合部４３と棟側立壁部４４の間であって、マウント金具３０の凹部３１ｃと上下方向に重なる部分に形成されている。仮止めボルト締結部４７は、基部４１の棟側立壁部４４よりも棟側部分に形成されている。各ボルト締結部は、例えば、基部４１を構成する金属板をバーリング加工及びネジ加工して形成される。図４及び図５に示す例では、バーリング加工による立ち上がりが上方に凸となるように形成されているが、当該立ち上がりは下方に凸となるように形成されてもよい。下向きにバーリング加工すると、ボルト締結部にボルトを挿し込み易いという利点がある。
【００３８】
ベース金具４０は、立壁部４５を有していてもよい。立壁部４５は、ボルト締結部４６を挟むように、基部４１の横方向両端部に立設している。各立壁部４５は、マウント金具３０の上端から突出してフレーム１３Ａ，１３Ｂの隙間に挿し込まれる。
【００３９】
図６は、固定金具５０の斜視図である。図６に例示するように、固定金具５０は、ボルト１６を通す貫通孔５６が形成された基部５１と、基部５１から下方に延出し、太陽電池モジュール１１Ａ，１１Ｂの隙間Ｓに挿し込まれる一対の脚部５２とを有する。固定金具５０は、基部５１の軒側端部から軒側に延出し、軒側の脚部５２に対して略垂直に形成された第１押え部５３と、基部５１の棟側端部から棟側に延出し、棟側の脚部５２に対して略垂直に形成された第２押え部５４とを有する。
【００４０】
詳しくは後述するが、第１押え部５３がフレーム１３Ａを上から押え付け、第２押え部５４がフレーム１３Ｂを上から押え付ける。なお、屋根面の傾斜の関係上、フレーム１３Ａの底板２３Ａの先端がマウント金具３０上から少し浮き上がり、マウント金具３０の上端からの鉤部２１Ａ，２１Ｂの高さは鉤部２１Ａの方がやや高くなる。このため、固定金具５０は、マウント金具３０の上端からの各押え部の高さが第１押え部５３でやや高くなるように傾斜していてもよい。
【００４１】
固定金具５０は、太陽電池モジュール１１の長辺方向長さと略同じ長さを有し、各隙間Ｓの略全長にわたって取り付けられてもよいが、本実施形態では、施工性を考慮してマウント金具３０の幅と略同じ長さとされる。固定金具５０は、ベース金具４０を介して各マウント金具３０に１つずつ固定される。基部５１、脚部５２、第１押え部５３、及び第２押え部５４は、固定金具５０の全長にわたって形成されている。貫通孔５６は、例えば、基部５１の長手方向中央部に形成される。
【００４２】
第１押え部５３は、太陽電池パネル１２Ａの受光面上に張り出すフレーム１３Ａの鉤部２１Ａ（後述の図７参照）よりも短い長さで形成され、鉤部２１Ａを上から押える。第２押え部５４は、太陽電池パネル１２Ｂの受光面上に張り出すフレーム１３Ｂの鉤部２１Ｂ（後述の図７参照）よりも短い長さで形成され、鉤部２１Ｂを上から押える。鉤部２１Ａ，２１Ｂの先端部は上面が先端に向かって下方に傾斜しているため、各押え部の先端部も鉤部の形状に合わせて下方に小さく折れ曲がっている。
【００４３】
固定金具５０は、貫通孔５６よりも軒側に立設した立壁部５５を有していてもよい。立壁部５５は、例えば、貫通孔５６に通されるボルト１６の頭部を超えて上方に延び、基部５１の上面に対して略垂直に形成されている。立壁部５５は、ボルト１６の止め付けに支障がない位置であれば、基部５１、第１押え部５３のいずれに設けられてもよい。立壁部５５は、ボルト１６の頭部を隠して太陽光発電装置１０の意匠性を向上させる。
【００４４】
図７は、太陽光発電装置１０の取り付け構造を示す縦方向断面図であって、マウント金具３０、ベース金具４０、及び固定金具５０を用いて、太陽電池モジュール１１Ａの棟側端部及び太陽電池モジュール１１Ｂの軒側端部を屋根１００に固定する構造を示す。
【００４５】
図７に例示するように、マウント金具３０上には、アース金具１５を介して、太陽電池モジュール１１Ａの棟側端部に設置されたフレーム１３Ａと、太陽電池モジュール１１Ｂの軒側端部に設置されたフレーム１３Ｂとが載せられている。そして、固定金具５０の貫通孔５６に通されたボルト１６がマウント金具３０に係合したベース金具４０に締結されることで、固定金具５０がフレーム１３Ａ，１３Ｂを上から押え付けている。
【００４６】
なお、フレーム１３Ａ，１３Ｂは、中空の略角柱形状を有する本体部２０Ａ，２０Ｂと、本体部２０Ａ，２０Ｂ上に立設した断面略Ｌ字形状の鉤部２１Ａ，２１Ｂとをそれぞれ有する。太陽電池パネル１２Ａ，１２Ｂの各端部は、鉤部２１Ａ，２１Ｂと本体部２０Ａ，２０Ｂの上面との間に形成された内溝にそれぞれ挿入されている。
【００４７】
マウント金具３０は、板状の固定部であるフランジ部３２に取り付けられたネジ１０７によって屋根１００の野地板１０２に固定される。図７に示す例では、位置合わせマーク３８と屋根材１０１の軒側端部とが一致するようにマウント金具３０が配置され、マウント金具３０の棟側部分が屋根材１０１上に、軒側部分がスペーサ１０５上に固定されている。一部のネジ１０７は、フランジ部３２の貫通孔３５とスペーサ１０５の貫通孔１０６に通され、屋根材１０１を貫通して野地板１０２に固定される。ネジ１０７には、例えばパッキン付きの木ネジが使用される。マウント金具３０と屋根材１０１及びスペーサ１０５との間には、ゴム製シート１０３（例えば、ブチルゴムシート）が設けられている。
【００４８】
太陽電池モジュール１１Ａ，１１Ｂは、太陽電池パネル１２Ａ，１２Ｂが野地板１０２と略平行となるようにマウント金具３０上に固定される。屋根面（屋根材１０１の表面）は野地板１０２と平行ではないので、フレーム１３Ａ，１３Ｂが載せられるマウント金具３０の上端（鉤部３３の上面）も野地板１０２と平行にならない。このため、フレーム１３Ａの底板２３Ａの先端がマウント金具３０上から少し浮き上がり、マウント金具３０の上端からの鉤部２１Ａ，２１Ｂの高さは鉤部２１Ａの方が僅かに高くなる。
【００４９】
ベース金具４０は、マウント金具３０のガイドレール部３４（図３等参照）に挿入されている。ガイドレール部３４は、上述のように、マウント金具３０の軒棟方向に沿った縦方向の全長にわたって形成されている。このため、マウント金具３０上にフレーム１３Ａ，１３Ｂが載せられてボルト１６が締結されるまでは、マウント金具３０から食み出さない範囲でベース金具４０を軒棟方向にスライドさせることができる。フレーム１３Ａ，１３Ｂはマウント金具３０上のベース金具４０が取り付けられた部分に載せられるが、ベース金具４０は上記のようにスライド可能であるため、フレーム１３Ａ，１３Ｂの配置の自由度が高く施工性に優れる。
【００５０】
ベース金具４０は、フレーム１３Ａ，１３Ｂを配置する際に軒棟方向に動かないように、仮止めボルト１７を用いて仮止めすることができる。仮止めボルト１７は、ベース金具４０の基部４１に形成された仮止めボルト締結部４７に螺合され、軸部の先端がマウント金具３０の上壁部３１ａに押し付けられて、マウント金具３０の目的とする位置にベース金具４０を仮止めする。ベース金具４０の位置は、仮止めボルト１７を緩めることで容易に調整できる。
【００５１】
フレーム１３Ａは、アース金具１５を介してマウント金具３０の鉤部３３上に載せられ、且つベース金具４０のボルト締結部４６に対応する位置よりも軒側に配置される。アース金具１５は、上方に突出した突起と、ボルト１６を通す貫通孔とを有する。アース金具１５の突起が、フレーム１３Ａの表面に形成された塗膜を突き破ってフレーム１３Ａの底面に食い込むことでアースをとることができる。アース金具１５の突起は、フレーム１３Ｂの底面に対しても同様に食い込む。
【００５２】
フレーム１３Ａの軒側にはベース金具４０の係合部４３が立設しており、係合部４３がフレーム１３Ａの内鍔部２５Ａ上に張り出して係合する。換言すると、内鍔部２５Ａがベース金具４０の基部４１と係合部４３との間に挿し込まれた状態である。内鍔部２５Ａは、例えば太陽電池モジュール１１Ａに負圧が作用したときに、係合部４３によって上から押えられる。
【００５３】
フレーム１３Ｂは、アース金具１５を介してマウント金具３０の鉤部３３上に載せられ、且つベース金具４０のボルト締結部４６に対応する位置よりも棟側に配置される。つまり、フレーム１３Ｂは、フレーム１３Ａとの間にボルト１６を通す隙間Ｓをあけて配置されている。フレーム１３Ｂの棟側には、内鍔部２５Ｂの先端と対面する位置に棟側立壁部４４が設けられているため、太陽電池モジュール１１Ｂの棟側への移動が防止される。
【００５４】
固定金具５０は、フレーム１３Ａ，１３Ｂに跨って取り付けられ、ボルト１６を用いてベース金具４０に固定されている。固定金具５０がベース金具４０に締結されることによって、固定金具５０の第１押え部５３がフレーム１３Ａの鉤部２１Ａを上から押え付け、第２押え部５４がフレーム１３Ｂの鉤部２１Ｂを上から押え付けている。また、固定金具５０の脚部５２が隙間Ｓに挿し込まれてフレーム１３Ａ，１３Ｂの上下方向に沿った各側面にそれぞれ当接することで、太陽電池モジュール１１Ａ，１１Ｂの軒棟方向への移動を防止している。
【００５５】
つまり、第１押え部５３と軒側の脚部５２とによってフレーム１３Ａの上端角部が押えられ、第２押え部５４と棟側の脚部５２とによってフレーム１３Ｂの上端角部が押えられている。また、フレーム１３Ａ，１３Ｂの隙間Ｓの下部には、ベース金具４０の立壁部４５が挿し込まれている。立壁部４５は、フレーム１３Ａ，１３Ｂと略接触していてもよく、フレーム１３Ａ，１３Ｂとの間に小さな隙間を有していてもよい。
【００５６】
太陽光発電装置１０の上記取り付け構造では、ボルト１６がベース金具４０のボルト締結部４６に螺合されることで、固定金具５０による押圧力がフレーム１３Ａ，１３Ｂに加わると共に、ベース金具４０がマウント金具３０に強固に固定される。ボルト１６をボルト締結部４６に螺合すると、ベース金具４０が上方に持ち上がり、ガイドレール部３４に挿入された延出部４２が鉤部３３に強く当接した状態となる。
【００５７】
上述のように、太陽光発電装置１０は、施工が容易であるにも関わらず、各太陽電池モジュール１１を固定金具５０で押えて屋根１００に固定でき、優れた耐荷重性を有する。太陽光発電装置１０では、例えば太陽電池モジュール１１Ａ，１１Ｂを配置した状態で、隙間Ｓに設けられたボルト１６を緩めて固定金具５０を取り外すことができる。
【００５８】
つまり、太陽光発電装置１０の端部に位置しない太陽電池モジュール１１であっても、周囲の太陽電池モジュール１１を取り外すことなく目的とする１枚の太陽電池モジュール１１だけを容易に取り外して交換することが可能である。このように、太陽光発電装置１０はメンテナンス性にも優れる。
【００５９】
次に、図８〜図１１を参照しながら、実施形態の他の一例である太陽光発電装置１０Ｘについて詳説する。以下では、上述の太陽光発電装置１０と共通する構成要素には同じ符号を用いて重複する説明を省略する。
【００６０】
太陽光発電装置１０Ｘ（図１１参照）は、マウント金具３０の代わりにマウント金具６０（図８等参照）を用い、固定金具５０の代わりに固定金具７０（図１０等参照）を用いている点で、太陽光発電装置１０と異なる。また、太陽光発電装置１０Ｘはベース金具４０を有さず、固定金具７０は、マウント金具６０上に立設したボルト７６にレンチ穴付きナット７８（図１１参照）を取り付けることでマウント金具６０に固定される。
【００６１】
図８はマウント金具６０の平面図、図９は図８中のＢＢ線断面図である。図８及び図９に例示するように、マウント金具６０は、太陽電池モジュール１１Ａ，１１Ｂのフレーム１３Ａ，１３Ｂが載せられる基部６１と、基部６１の下部から左右にそれぞれ張り出したフランジ部６２とを有する。フランジ部６２は、屋根面に沿って配置される板状の固定部である。フランジ部６２には、マウント金具６０を屋根１００に固定するためのネジ１０７を通す貫通孔６５が複数形成されている。
【００６２】
マウント金具６０は、マウント金具３０と同様に、軒棟方向に沿う縦方向に長い形状を有し、棟側縁部６０ｂが屋根１００の軒棟方向及び桁方向に対して傾斜している。棟側縁部６０ｂは、屋根１００の桁方向に対して約３°〜１０°の角度θで傾斜していることが好ましい。後述のボルトガイドレール部６４は軒棟方向に沿って真っ直ぐに延びることが好ましいため、マウント金具６０の切断面を縦方向及び横方向に対して斜めに形成することで、棟側縁部６０ｂを傾斜させることが好適である。この場合、施工性を損なうことなく、雨水等の排水性を向上させることができる。また、マウント金具６０の軒側縁部６０ａは、軒棟方向及び桁方向に対して棟側縁部６０ｂと略同じ角度で傾斜し、棟側縁部６０ｂと略平行に形成されていることが好ましい。
【００６３】
マウント金具６０は、固定金具７０を固定するためのボルト７６の軸部が上を向いて立設するように、ボルト７６の頭部を軒棟方向にスライド可能に支持するボルトガイドレール部６４を有する。詳しくは後述するが、固定金具７０は、マウント金具６０上に立設したボルト７６の軸部を通す貫通孔７２を有し、貫通孔７２から上方に突出したボルト７６の軸部にレンチ穴付きナット７８を螺合することでマウント金具６０に固定されている。
【００６４】
基部６１は、フレーム１３Ａ，１３Ｂが載せられる上壁部６１ａと、上壁部６１ａの横方向両端部から下方に延び、上壁部６１ａとフランジ部６２をつなぐ２つの側壁部６１ｂと、各側壁部６１ｂの下端同士をつなぐ下壁部６１ｃとを有する。側壁部６１ｂは、例えば上壁部６１ａ、下壁部６１ｃ、及びフランジ部６２に対して略垂直に形成されている。基部６１は、軽量化、材料コスト削減等の観点から中空構造を有することが好ましく、各壁部に囲まれてボルトガイドレール部６４で分離された２つの中空部６７を有する。
【００６５】
ボルトガイドレール部６４は、基部６１の横方向中央部において基部６１の縦方向全長にわたって設けられている。ボルトガイドレール部６４は、中空の基部６１内に形成された上方に向かって開口する溝であって、上壁部６１ａの一部が左右から溝上に張り出して開口の一部を塞いで形成されている。ボルトガイドレール部６４には、ボルト７６の軸部を当該開口から突出させた状態でボルト７６の頭部を挿入できる。ボルト７６の頭部は左右から張り出した上壁部６１ａの下面に引っ掛かるため、ボルト７６は上方に抜けない状態で軒棟方向に沿ってスライド可能にボルトガイドレール部６４に保持される。
【００６６】
フランジ部６２は、基部６１の下部から外側に張り出し、マウント金具６０の縦方向全長にわたって形成されている。各フランジ部６２には、ネジ１０７を通す貫通孔６５が軒棟方向に並んで形成されている。貫通孔６５は、ネジ１０７が取り付けられる部分に対する雨水等の浸入を防止するため、フランジ部６２の端から１０ｍｍ以上離れた位置に形成されることが好ましい。貫通孔６５は、例えば、フランジ部６２の縦方向に沿った外側の端である外端６２ａ、及びフランジ部６２の縦方向両端（軒側縁部６０ａ及び棟側縁部６０ｂ）から１０ｍｍ以上離れた位置に形成される。
【００６７】
図１０は、固定金具７０の斜視図である。図１０に例示するように、固定金具７０は、側面視略Ｕ字形状を有する基部７１を有する。基部７１は、互いに略平行に形成された２つの側壁部７１ａと、各側壁部７１ａの下端同士をつなぐ下壁部７１ｂとで構成されている。下壁部７１ｂには、マウント金具６０上に立設したボルト７６を通す貫通孔７２が形成されている。
【００６８】
固定金具７０は、軒側に配置される側壁部７１ａの上端から軒側に延出した第１押え部７３と、棟側に配置される側壁部７１ａの上端から棟側に延出した第２押え部７４とを有する。第１押え部７３は、フレーム１３Ａの鉤部２１Ａよりも短い長さで形成され、鉤部２１Ａを上から押える。第２押え部７４は、フレーム１３Ｂの鉤部２１Ｂよりも短い長さで形成され、鉤部２１Ｂを上から押える。各押え部の先端部は、鉤部２１Ａ，２１Ｂの先端部の形状に合わせて下方に小さく折れ曲がっている。
【００６９】
固定金具７０は、太陽電池モジュール１１の長辺方向長さと略同じ長さを有し、各隙間Ｓの略全長にわたって取り付けられてもよいが、本実施形態では、施工性を考慮してマウント金具６０の幅と略同じ長さとされる。固定金具７０は、基部７１が隙間Ｓに挿し込まれ、ボルト７６及びレンチ穴付きナット７８を用いて各マウント金具６０に１つずつ固定される。基部７１、第１押え部７３、及び第２押え部７４は、固定金具７０の全長にわたって形成されている。貫通孔７２は、例えば基部７１の長手方向中央部に形成される。
【００７０】
固定金具７０は、マウント金具６０の上端からの各押え部の高さが第１押え部７３でやや高くなった形状を有していてもよい。基部７１の下壁部７１ｂは各側壁部７１ａに対して垂直に形成されてもよいが、軒側の側壁部７１ａと下壁部７１ｂとがなす角度が、棟側の側壁部７１ａと下壁部７１ｂとがなす角度よりやや大きくなるように下壁部７１ｂが傾斜していてもよい。
【００７１】
図１１は、太陽光発電装置１０Ｘの取り付け構造を示す縦方向断面図であって、マウント金具６０、及び固定金具７０を用いて、太陽電池モジュール１１Ａの棟側端部及び太陽電池モジュール１１Ｂの軒側端部を屋根１００に固定する構造を示す。
【００７２】
図１１に例示するように、マウント金具６０上には、アース金具１５を介して、太陽電池モジュール１１Ａの棟側端部に設置されたフレーム１３Ａと、太陽電池モジュール１１Ｂの軒側端部に設置されたフレーム１３Ｂとが載せられている。フレーム１３Ａ，１３Ｂの隙間Ｓには上から固定金具７０が挿し込まれ、隙間Ｓの下部にはマウント金具６０上に立設したボルト７６が存在する。そして、固定金具７０の貫通孔７２に通されたボルト７６の軸部にレンチ穴付きナット７８が取り付けられることで、固定金具７０がマウント金具６０に固定されると共に、フレーム１３Ａ，１３Ｂを上から押え付けている。
【００７３】
マウント金具６０は、マウント金具３０と同様に、フランジ部６２に取り付けられたネジ１０７によって屋根１００の野地板１０２に固定される。マウント金具６０は、位置合わせマーク６８と屋根材１０１の軒側縁部とが一致するように配置され、マウント金具６０の棟側部分が屋根材１０１上に、軒側部分がスペーサ１０５上に固定されている。フレーム１３Ａ，１３Ｂは、基部６１の上壁部６１ａ上においてボルト７６を挟み、固定金具７０の基部７１を挿し込み可能な隙間Ｓをあけて対向配置されている。マウント金具６０と屋根材１０１及びスペーサ１０５との間には、ゴム製シート１０３が設けられている。
【００７４】
太陽光発電装置１０Ｘにおいても、太陽電池モジュール１１Ａ，１１Ｂは、太陽電池パネル１２Ａ，１２Ｂが野地板１０２と略平行となるようにマウント金具６０上に固定される。この場合、フレーム１３Ａの底板２３Ａの先端がマウント金具６０上から少し浮き上がり、マウント金具６０の上端からの鉤部２１Ａ，２１Ｂの高さは鉤部２１Ａの方が僅かに高くなる。
【００７５】
マウント金具６０の基部６１に立設したボルト７６は、頭部がボルトガイドレール部６４（図９参照）に挿入され、軸部が上方を向き基部６１の上壁部６１ａに対して略垂直に延びている。ボルト７６は、ボルトガイドレール部６４から抜け落ちない範囲で軒棟方向にスライド可能であるため、フレーム１３Ａ，１３Ｂの配置の自由度が高く施工性に優れる。ボルト７６は、例えば軸部にナット７７を取り付けることで、スライドしないように固定することができる。
【００７６】
固定金具７０は、フレーム１３Ａ，１３Ｂに跨って取り付けられ、基部７１の下壁部７１ｂに形成された貫通孔７２にはボルト７６の軸部が通されている。そして、ボルト７６の軸部の下壁部７１ｂより上方に突出した部分に、レンチ穴付きナット７８が螺合されている。レンチ穴付きナット７８は、下壁部７１ｂを上から押さえ付け、固定金具７０をマウント金具６０に固定する。レンチ穴付きナット７８は、例えば、六角レンチを挿し込み可能なレンチ穴が形成されたナットであって、当該レンチ穴を上方に向けた状態で六角レンチを用いて取り付けられる。
【００７７】
固定金具７０は、第１押え部７３がフレーム１３Ａの鉤部２１Ａを上から押え付け、第２押え部７４がフレーム１３Ｂの鉤部２１Ｂを上から押え付けている。また、基部７１の各側壁部７１ａが隙間Ｓにおいてフレーム１３Ａ，１３Ｂの上下方向に沿った各側面にそれぞれ当接することで、太陽電池モジュール１１Ａ，１１Ｂの軒棟方向への移動を防止している。第１押え部７３と軒側の側壁部７１ａとによってフレーム１３Ａの上端角部が押えられ、第２押え部７４と棟側の側壁部７１ａとによってフレーム１３Ｂの上端角部が押えられている。
【００７８】
太陽光発電装置１０Ｘは、フレーム１３Ａとフレーム１３Ｂとに跨って隙間Ｓ上に配置され、固定金具７０上に取り付けられるカバー８０を備えていてもよい。カバー８０は、例えば、太陽電池モジュール１１の長辺と略同じ長さを有し、隙間Ｓの全体を覆う。カバー８０は、フレーム１３Ａからフレーム１３Ｂに跨って取り付けられ隙間Ｓを覆う基部８１と、基部８１から下方に延出して隙間Ｓに挿し込まれる２つの脚部８２とを有する。各脚部８２は、例えば互いに平行に形成され、固定金具７０の基部７１内に挿し込まれる。
【００７９】
図１１に示す例では、基部８１の軒側部分が固定金具７０の第１押え部７３上に配置され、基部８１の棟側部分が固定金具７０の第２押え部７４上に配置されている。軒側の脚部８２は基部７１の軒側の側壁部７１ａに当接し、棟側の脚部８２は棟側の側壁部７１ａに当接している。上述のように、マウント金具６０の上端からの鉤部２１Ａ，２１Ｂの高さは鉤部２１Ａの方がやや高くなるため、例えば、基部８１は軒側部分が棟側部分よりもやや上方に位置するように傾斜している。
【００８０】
カバー８０は、基部８１の幅方向中央部を貫通して取り付けられるネジ８３によって、固定金具７０に固定されている。ネジ８３は、レンチ孔付きナット７８と干渉しない位置において、基部８１を上から貫通して固定金具７０の下壁部７１ｂに固定される。ネジ８３には、例えばドリルネジが使用される。
【００８１】
太陽光発電装置１０Ｘは、太陽光発電装置１０と同様に、施工が容易でメンテナンス性が良好であるにも関わらず、優れた耐荷重性を有する。太陽光発電装置１０Ｘでは、カバー８０が設けられる場合はカバー８０を取り外した後、レンチ穴付きナット７８を緩めて固定金具７０を取り外すことで、目的とする１枚の太陽電池モジュール１１だけを容易に取り外して交換することが可能である。
【００８２】
次に、図１２〜図１４を参照しながら、実施形態の他の一例である太陽光発電装置１０Ｙについて詳説する。以下では、上述の太陽光発電装置１０，１０Ｘと共通する構成要素には同じ符号を用いて重複する説明を省略する。
【００８３】
太陽光発電装置１０Ｙ（図１４参照）は、固定金具５０の代わりに固定金具９０（図１２参照）を用いている点で、太陽光発電装置１０と異なる。他方、太陽光発電装置１０Ｙは、マウント金具３０及びベース金具４０を備える点で、太陽光発電装置１０と共通する。太陽光発電装置１０Ｙは、固定金具５０を固定するためのボルト９６をベース金具４０の締結部にガイドするガイド部材９７（図１３参照）を備える。ガイド部材９７は、ベース金具４０上に配置されてマウント金具３０のガイドレール部３４に挿入されている。
【００８４】
図１２は、固定金具９０の斜視図である。図１２に例示するように、固定金具９０は、固定金具７０と同様に、側面視略Ｕ字形状を有する基部９１を有する。基部９１は、２つの側壁部９１ａと、固定金具５０を固定するためのボルト９６を通す貫通孔９２が形成された下壁部９１ｂとで構成されている。固定金具９０は、軒側に配置される側壁部９１ａの上端から軒側に延出した第１押え部９３と、棟側に配置される側壁部９１ａの上端から棟側に延出した第２押え部９４とを有する。
【００８５】
固定金具９０は、ベース金具４０を介してマウント金具３０に固定される。ベース金具４０は、上述のように、マウント金具３０の上端よりも上方に突出して太陽電池モジュール１１Ａと太陽電池モジュール１１Ｂとの隙間Ｓに配置される立壁部４５を有する。立壁部４５は、ボルト９６が螺合されるベース金具４０のボルト締結部４６を挟むように、基部４１の横方向両端部に立設する。
【００８６】
固定金具９０には、立壁部４５を挿入可能なスリット９５が形成されている。スリット９５は、各立壁部４５に対応する間隔をあけてボルト９６が通される貫通孔９２を挟むように下壁部９１ｂの２箇所に形成される。各スリット９５は、例えば基部９１の下壁部９１ｂ及び側壁部９１ａの下部を固定金具９０の幅方向に切り欠いて形成される。
【００８７】
図１３は、ガイド部材９７の斜視図である。ガイド部材９７は、ボルト９６をベース金具４０のボルト締結部４６にガイドするための部材であって、横方向に長い板状の部材である。ガイド部材９７の中央には、ガイド孔９８が形成されている。ガイド孔９８は、ボルト９６を通す貫通孔であって、孔の周囲に下方に向かってテーパー状に形成された立ち上がりを有する。また、ガイド部材９７は、マウント金具３０のガイドレール部３４に挿入される延出部９９を有することが好ましい。延出部９９は、ガイド部材９７の左右に２つずつ、合計４つ設けられている。
【００８８】
図１４は、太陽光発電装置１０Ｙの取り付け構造を示す縦方向断面図であって、マウント金具３０、ベース金具４０、及び固定金具９０を用いて、太陽電池モジュール１１Ａの棟側端部及び太陽電池モジュール１１Ｂの軒側端部を屋根１００に固定する構造を示す。
【００８９】
図１４に例示するように、アース金具１５を介してマウント金具３０上に載せられたフレーム１３Ａ，１３Ｂの隙間Ｓには、上から固定金具９０の基部９１が挿し込まれ、下からベース金具４０の立壁部４５が挿し込まれている。固定金具９０は、ボルト９６を用いて、フレーム１３Ａ，１３Ｂに跨って取り付けられる。
【００９０】
ボルト９６は、隙間Ｓに挿し込まれた基部９１の貫通孔９２に通されてベース金具４０のボルト締結部４６に螺合されている。これにより、固定金具７０がマウント金具３０に固定されると共に、フレーム１３Ａ，１３Ｂを上から押え付ける。具体的には、固定金具９０の第１押え部９３がフレーム１３Ａの鉤部２１Ａを上から押え付け、第２押え部９４がフレーム１３Ｂの鉤部２１Ｂを上から押え付けている。
【００９１】
固定金具９０とベース金具４０の間には、ガイド部材９７を設けることが好ましい。ガイド部材９７は、基部９１の貫通孔９２に通されたボルト９６をベース金具４０のボルト締結部４６にガイドする機能を有し、ガイド孔９８がボルト締結部４６と重なるようにベース金具４０上に配置される。
【００９２】
固定金具９０は、基部９１の各側壁部９１ａがフレーム１３Ａ，１３Ｂの上下方向に沿った各側面にそれぞれ当接し、下壁部９１ｂがベース金具４０の立壁部４５の上端よりも下方に位置している。立壁部４５は、下壁部９１ｂに形成されたスリット９５（図１２参照）に挿入され、下壁部９１ｂの上面より上方に突出している。立壁部４５がスリット９５に挿入されてスリット９５の縁部に引っ掛かることで、例えば固定金具９０とベース金具４０の結合力が向上する。
【００９３】
図１５に例示するように、太陽光発電装置１０Ｙは、フレーム１３Ａとフレーム１３Ｂとに跨り隙間Ｓを覆って配置され、固定金具９０上に取り付けられるカバー８０Ｙを備えていてもよい。カバー８０Ｙは、基部８１Ｙが固定金具９０の各押え部の先端に対応する位置まで延びていると共に、基部８１Ｙの上面に立設した雪止め８４を有する点で、太陽光発電装置１０Ｘのカバー８０と異なる。また、カバー８０Ｙは支持金具８５を用いてフレーム１３Ａに固定される。
【００９４】
雪止め８４は、基部８１Ｙの軒側部分において、カバー８０Ｙを支持金具８５に固定するネジ８６の頭部よりも高く形成されている。雪止め８４の高さは、例えば７ｍｍ程度である。雪止め８４は、カバー８０Ｙの全長にわたって形成されてもよいが、その場合は所定の間隔で水抜き孔を形成することが好ましい。
【００９５】
支持金具８５は、フレーム１３Ａ，１３Ｂの隙間Ｓ内に配置され、支持金具８５の上部が基部８１Ｙの裏面に当接している。カバー８０Ｙは、基部８１Ｙを貫通するネジ８６を用いて支持金具８５の上部に固定される。支持金具８５は、フレーム１３Ａの外溝２４Ａに挿し込まれる爪部８８を有することが好ましい。爪部８８は、例えば、支持金具８５の下部を上部と反対側（軒側）に折り曲げて形成される。支持金具８５は、フレーム１３Ａの本体部２０Ａに沿って下方に延び、ネジ８７を用いて本体部２０Ａに固定されると共に、爪部８８が外溝２４Ａに挿し込まれることでフレーム１３Ａに固定されている。
【００９６】
つまり、フレーム１３Ａは、太陽電池モジュール１１Ａの外側に開口した外溝２４Ａを有し、太陽光発電装置１０Ｙは、外溝２４Ａに挿し込まれてフレーム１３Ａに固定されると共に、カバー８０Ｙがネジ止めされる支持金具８５を備える。外溝２４Ａは、フレーム１３Ａの底板と本体部２０Ａとの間に形成されている。なお、太陽光発電装置１０，１０Ｘを示す図面にもフレームの外溝を示しているが、これらのフレームは外溝を有していなくてもよい。
【００９７】
太陽光発電装置１０Ｙは、太陽光発電装置１０，１０Ｘと同様に、施工が容易でメンテナンス性が良好であるにも関わらず、優れた耐荷重性を有する。太陽光発電装置１０Ｙでは、カバー８０Ｙが設けられる場合はカバー８０Ｙを取り外した後、ボルト９６を緩めて固定金具９０を取り外すことで、目的とする１枚の太陽電池モジュール１１だけを容易に取り外して交換することが可能である。
【符号の説明】
【００９８】
１０，１０Ｘ，１０Ｙ  太陽光発電装置、１１，１１Ａ，１１Ｂ  太陽電池モジュール、１２，１２Ａ，１２Ｂ  太陽電池パネル、１３，１３Ａ，１３Ｂ  フレーム、１５  アース金具、１６  ボルト、１７  仮止めボルト、２０Ａ，２０Ｂ  本体部、２１Ａ，２１Ｂ  鉤部、２３Ａ  底板、２４Ａ  外溝、２５Ａ，２５Ｂ  内鍔部、３０  マウント金具、３０ａ  軒側縁部、３０ｂ  棟側縁部、３１  基部、３１ａ  上壁部、３１ｂ  側壁部、３１ｃ  凹部、３２  フランジ部、３２ａ  外端、３２ｂ  内端、３３  鉤部、３４  ガイドレール部、３５  貫通孔、３６  結束バンド用孔、３７  排水溝、３８  位置合わせマーク、４０  ベース金具、４１  基部、４２  延出部、４３  係合部、４４  棟側立壁部、４５  立壁部、４６  ボルト締結部、４７  仮止めボルト締結部、４８  開口部、５０  固定金具、５１  基部、５２  脚部、５３  第１押え部、５４  第２押え部、５５  立壁部、５６  貫通孔、６０  マウント金具、６０ａ  軒側縁部、６０ｂ  棟側縁部、６１  基部、６１ａ  上壁部、６１ｂ  側壁部、６１ｃ  下壁部、６２  フランジ部、６２ａ  外端、６４  ボルトガイドレール部、６５  貫通孔、６７  中空部、６８  位置合わせマーク、７０  固定金具、７１  基部、７１ａ  側壁部、７１ｂ  下壁部、７２  貫通孔、７３  第１押え部、７４  第２押え部、７６  ボルト、７７  ナット、７８  レンチ穴付きナット、８０，８０Ｙ  カバー、８１，８１Ｙ  基部、８２  脚部、８３  ネジ、８４  雪止め、８５  支持金具、８６，８７  ネジ、８８  爪部、９０  固定金具、９１  基部、９１ａ  側壁部、９１ｂ  下壁部、９２  貫通孔、９３  第１押え部、９４  第２押え部、９５  スリット、９６  ボルト、９７  ガイド部材、９８  ガイド孔、９９  延出部、１００  屋根、１０１  屋根材、１０２  野地板、１０３  ゴム製シート、１０５  スペーサ、１０６  貫通孔、１０７  ネジ、Ｓ  隙間
【図１】
2018061645.tif 000003
【図２】
2018061645.tif 000004
【図３】
2018061645.tif 000005
【図４】
2018061645.tif 000006
【図５】
2018061645.tif 000007
【図６】
2018061645.tif 000008
【図７】
2018061645.tif 000009
【図８】
2018061645.tif 000010
【図９】
2018061645.tif 000011
【図１０】
2018061645.tif 000012
【図１１】
2018061645.tif 000013
【図１２】
2018061645.tif 000014
【図１３】
2018061645.tif 000015
【図１４】
2018061645.tif 000016
【図１５】
2018061645.tif 000017
【国際調査報告】
2018061645.tif 000018
2018061645.tif 000019
2018061645.tif 000020
2018061645.tif 000021